(57)【要約】本発明は、品物の紛失防止及び迅速な探索のための装置に係り、内部タグメモリに固有識別情報を有するＲＦＩＤタグ機能のスレーブと、ＲＦＩＤリーダー機能であって、前記スレーブを認知可能な認知距離と認知幅のうち一つ以上の可変のハンドヘルドタイプマスターからなり、ユーザと品物との間の所定の距離を逸脱すると、アラームや品物案内などの警報を鳴らしてユーザ品物の紛失を予防することはもちろんのこと、家などで自身が置いておいた品物を迅速に探すことができるようにする。【選択図】図１
2013533559.tif 000002
【特許請求の範囲】
【請求項１】
品物の紛失防止及び迅速な探索のための装置において、
内部タグメモリに固有識別情報を有するＲＦＩＤタグ機能を有するスレーブと、ＲＦＩＤリーダー機能を有し、前記スレーブを認知できる認知距離を可変にすることができるハンドヘルドタイプのマスターとからなり、
前記マスターは、
入力部及び出力部を備えるユーザインターフェース部と、
スレーブとの無線交信のための一つのアンテナと、
アンテナと連結され、スレーブとのデータの無線送受信のための送信部及び受信部と、
アラームや音声出力のためのアラーム及び音声出力部と、
所定の制御下で、送信部及び受信部のうち送信部の出力パワーを調節する出力パワー調節部と、
ユーザインターフェースを介して登録対象スレーブを品物の紛失防止及び迅速な探索のためのタグとしてメモリに登録し、ユーザインターフェースを介してスレーブ認知距離となった認知領域範囲の設定要求があれば、要求された認知領域範囲をメモリに設定し、ユーザインターフェースを介して外出モードが作動すれば、出力パワー調節部によって調節された認知領域範囲内の無線交信によりマスターと登録スレーブとの認知交信を継続的に行う間に、相互間の距離が認知領域範囲を逸脱すると、マスターのアラーム及び音声出力部を介してアラーム及び音声案内を提供し、ユーザインターフェースを介して探索モードが作動すれば、設定された認知領域範囲内でマスターと登録スレーブとの間の認知交信を試みて、認知された登録スレーブの認知電界強度レベルによる探知音量の送出及び音声案内をアラーム及び音声出力部を介して行う制御部とを備えることを特徴とする品物の紛失防止及び迅速な探索のための装置。
【請求項２】
品物の紛失防止及び迅速な探索のための装置において、
内部タグメモリに固有識別情報を有するＲＦＩＤタグ機能を有するスレーブと、ＲＦＩＤリーダー機能を有し、前記スレーブを認知できる認知距離と認知幅のうち一つ以上を可変にすることができるハンドヘルドタイプのマスターとからなり、
前記マスターは、
入力部及び出力部を備えるユーザインターフェース部と、
スレーブとの無線交信のための複数のアンテナと、
スレーブとのデータの無線送受信のための送信部及び受信部と、
所定の制御によって送信部及び受信部と複数のアンテナとの間の信号を選択的に連結する信号分配及び合成部と、
アラームや音声出力のためのアラーム及び音声出力部と、
所定の制御下で、送信部及び受信部のうち送信部の出力パワーを調節する出力パワー調節部と、
ユーザインターフェースを介して登録対象スレーブを品物の紛失防止及び迅速な探索のためのタグとしてメモリに登録し、ユーザインターフェースを介してスレーブ認知距離及び認知幅のうち一つ以上からなる認知領域範囲の設定要求があれば、要求された認知領域範囲をメモリに設定し、ユーザインターフェースを介して外出モードが作動すれば、アンテナの選択使用及び出力パワー調節部によって認知領域範囲内の無線交信によりマスターと登録スレーブとの間の認知交信を継続的に行う間に、相互間の距離が認知領域範囲を逸脱すると、マスターのアラーム及び音声出力部を介してアラーム及び音声案内を提供し、ユーザインターフェースを介して探索モードが作動すれば、設定された認知領域範囲内でマスターと登録スレーブとの間の認知交信を試みて、認知された登録スレーブの認知電界強度レベルによる探知音量の送出及び音声案内をアラーム及び音声出力部を介して行う制御部とを備えることを特徴とする品物の紛失防止及び迅速な探索のための装置。
【請求項３】
マスターは、音声認識及び音声合成のための音声認識及び合成部をさらに備えることを特徴とする請求項１または請求項２に記載の品物の紛失防止及び迅速な探索のための装置。
【請求項４】
スレーブは、内部タグメモリへのデータの書き込み及び消去が可能な書き換え可能なタグからなることを特徴とする請求項１または請求項２に記載の品物の紛失防止及び迅速な探索のための装置。
【請求項５】
スレーブは、小銭タイプ、バンドタイプ、スティックタイプ、カードタイプ、アンテナを導電糸で製織して形成した携帯電話ストラップタイプのタグを備えることを特徴とする請求項１または請求項２に記載の品物の紛失防止及び迅速な探索のための装置。
【請求項６】
内部のタグメモリに固有識別情報を有するＲＦＩＤタグ機能を有するスレーブと、ＲＦＩＤリーダー機能を有し、前記スレーブを認知できる認知距離と認知幅のうち一つ以上を可変にすることができるハンドヘルドタイプのマスターとからなる装置における品物の紛失防止及び迅速な探索のための方法において、
マスターにおけるユーザインターフェースを介して登録モードを行って、登録対象スレーブを品物の紛失防止及び迅速な探索のためのタグとしてメモリに登録するステップと、
マスターのユーザインターフェースを介してスレーブ認知距離及び認知幅のうち一つ以上からなる認知領域範囲の設定要求があれば、マスターは、要求された認知領域範囲をメモリに設定するステップと、
マスターにおけるユーザインターフェースを介して外出モードが作動すれば、マスターの複数のアンテナの選択使用及びマスターの送信部出力パワーの調節により認知領域範囲を定め、認知領域範囲内の無線交信によりマスターと登録スレーブとの間の認知交信を継続的に行うステップと、
外出モード作動状態でマスターと登録スレーブとの間の認知交信を継続的に行う間に、相互間の距離が認知領域範囲を逸脱すると、マスターを介してアラーム及び音声案内を提供するステップと、
マスターのユーザインターフェースを介して探索モードが作動すれば、所定の認知領域範囲内でマスターと登録スレーブとの間の認知交信を試みるステップと、
探索モード作動状態でマスターと登録スレーブとの間の認知交信を試みる間に、認知された登録スレーブの認知電界強度レベルによるマスターを介して探知音量の送出及び音声案内を提供するステップとを含むことを特徴とする品物の紛失防止及び迅速な探索のための方法。
【請求項７】
前記登録モードで音声認識入力及びタッチスクリーン入力を少なくとも一つ以上含む入力インタペースを介してマスターに品物情報を入力すれば、マスターは、品物情報を登録対象スレーブのタグメモリに無線で書き込むステップをさらに含むことを特徴とする請求項６に記載の品物の紛失防止及び迅速な探索のための方法。
【発明の詳細な説明】
【技術分野】
【０００１】
本発明は、品物の紛失防止装置に係り、特に、ユーザが品物との間の所定の距離を逸脱すると警報を鳴らして、ユーザの品物の紛失を予防するとともに、自身が置いておいた品物を迅速に探せる品物の紛失防止及び迅速な探索のための装置及び方法に関する。
【背景技術】
【０００２】
最近、多くの人は外出時にハンドバッグやブリーフケースなどのかばん類や、携帯電話、財布、本などの所持品を持ち歩く。銀行での用事や個人的な用事の後に所持品を置き忘れて来たり、地下鉄やタクシーなどに品物を置き忘れたり、または一つの仕事に沒頭して重要な物品を忘れたりすることが度々ある。
【０００３】
また、家でも自身が置いておいた携帯電話、かばん、財布、眼鏡などを探せず、家を出る前にその品物を探すためにあちこちをさ迷った経験は誰でも一度はあるであろう。
【０００４】
したがって、ユーザの品物を忘れないように警報を鳴らし、どこかに置いておいた自身の品物を迅速に探すことができるようにする装置が開発されれば、多くのユーザから大きな呼応を得ることができるであろう。
【発明の概要】
【発明が解決しようとする課題】
【０００５】
したがって、本発明の目的は、ユーザが品物との間の所定の距離を逸脱すると警報を鳴らし、ユーザ品物の紛失を予防し、さらに、自身が置いておいた品物を迅速に探すことができるようにする品物の紛失防止及び迅速な探索のための装置及び方法を提供するところにある。
【課題を解決するための手段】
【０００６】
前記目的によって、本発明は、品物の紛失防止及び迅速な探索のための装置において、内部タグメモリに固有識別情報を有するＲＦＩＤタグ機能を有するスレーブと、ＲＦＩＤリーダー機能を有し、前記スレーブを認知できる認知距離を可変にすることができるハンドヘルドタイプのマスターとからなり、前記マスターは、入力部及び出力部を備えるユーザインターフェース部と、スレーブとの無線交信のための一つのアンテナと、アンテナと連結され、スレーブとのデータの無線送受信のための送信部及び受信部と、アラームや音声出力のためのアラーム及び音声出力部と、所定の制御下で、送信部及び受信部のうち送信部の出力パワーを調節する出力パワー調節部と、ユーザインターフェースを介して登録対象スレーブを品物の紛失防止及び迅速な探索のためのタグとしてメモリに登録し、ユーザインターフェースを介してスレーブ認知距離となった認知領域範囲の設定要求があれば、要求された認知領域範囲をメモリに設定し、ユーザインターフェースを介して外出モードが作動すれば、出力パワー調節部によって調節された認知領域範囲内の無線交信によりマスターと登録スレーブとの認知交信を継続的に行う間に、相互間の距離が認知領域範囲を逸脱すると、マスターのアラーム及び音声出力部を介してアラーム及び音声案内を提供し、ユーザインターフェースを介して探索モードが作動すれば、設定された認知領域範囲内でマスターと登録スレーブとの間の認知交信を試みて、認知された登録スレーブの認知電界強度レベルによる探知音量の送出及び音声案内をアラーム及び音声出力部を介して行う制御部とを備えることを特徴とする。
【０００７】
また、本発明は、品物の紛失防止及び迅速な探索のための装置において、内部タグメモリに固有識別情報を有するＲＦＩＤタグ機能を有するスレーブと、ＲＦＩＤリーダー機能を有し、前記スレーブを認知できる認知距離と認知幅のうち一つ以上を可変にすることができるハンドヘルドタイプのマスターとからなり、前記マスターは、入力部及び出力部を備えるユーザインターフェース部と、スレーブとの無線交信のための複数のアンテナと、スレーブとのデータの無線送受信のための送信部及び受信部と、所定の制御によって送信部及び受信部と複数のアンテナとの間の信号を選択的に連結する信号分配及び合成部と、アラームや音声出力のためのアラーム及び音声出力部と、所定の制御下で、送信部及び受信部のうち送信部の出力パワーを調節する出力パワー調節部と、ユーザインターフェースを介して登録対象スレーブを品物の紛失防止及び迅速な探索のためのタグとしてメモリに登録し、ユーザインターフェースを介してスレーブ認知距離及び認知幅のうち一つ以上からなる認知領域範囲の設定要求があれば、要求された認知領域範囲をメモリに設定し、ユーザインターフェースを介して外出モードが作動すれば、アンテナの選択使用及び出力パワー調節部によって認知領域範囲内の無線交信によりマスターと登録スレーブとの間の認知交信を継続的に行う間に、相互間の距離が認知領域範囲を逸脱すると、マスターのアラーム及び音声出力部を介してアラーム及び音声案内を提供し、ユーザインターフェースを介して探索モードが作動すれば、設定された認知領域範囲内でマスターと登録スレーブとの間の認知交信を試みて、認知された登録スレーブの認知電界強度レベルによる探知音量の送出及び音声案内をアラーム及び音声出力部を介して行う制御部とを備えることを特徴とする。
【０００８】
また、本発明のマスターは、音声認識及び音声合成のための音声認識及び合成部をさらに備え、スレーブは、内部タグメモリへのデータの書き込み及び消去が可能な書き換え可能なタグからなることを特徴にする。
【０００９】
また、本発明のスレーブは、小銭タイプ、バンドタイプ、スティックタイプ、カードタイプ、アンテナを導電糸で製織して形成した携帯電話ストラップタイプのタグを備える。
【００１０】
また、本発明は、内部のタグメモリに固有識別情報を有するＲＦＩＤタグ機能を有するスレーブと、ＲＦＩＤリーダー機能を有し、前記スレーブを認知できる認知距離と認知幅のうち一つ以上を可変にすることができるハンドヘルドタイプのマスターとからなる装置における品物の紛失防止及び迅速な探索のための方法において、マスターにおけるユーザインターフェースを介して登録モードを行って、登録対象スレーブを品物の紛失防止及び迅速な探索のためのタグとしてメモリに登録するステップと、マスターのユーザインターフェースを介してスレーブ認知距離及び認知幅のうち一つ以上からなる認知領域範囲の設定要求があれば、マスターは、要求された認知領域範囲をメモリに設定するステップと、マスターにおけるユーザインターフェースを介して外出モードが作動すれば、マスターの複数のアンテナの選択使用及びマスターの送信部出力パワーの調節により認知領域範囲を定め、認知領域範囲内の無線交信によりマスターと登録スレーブとの間の認知交信を継続的に行うステップと、外出モード作動状態でマスターと登録スレーブとの間の認知交信を継続的に行う間に、相互間の距離が認知領域範囲を逸脱すると、マスターを介してアラーム及び音声案内を提供するステップと、マスターのユーザインターフェースを介して探索モードが作動すれば、所定の認知領域範囲内でマスターと登録スレーブとの間の認知交信を試みるステップと、探索モード作動状態でマスターと登録スレーブとの間の認知交信を試みる間に、認知された登録スレーブの認知電界強度レベルによるマスターを介して探知音量の送出及び音声案内を提供するステップとを含むことを特徴とする。
【００１１】
また、前記登録モードで音声認識入力及びタッチスクリーン入力を少なくとも一つ以上含む入力インタペースを介してマスターに品物情報を入力すれば、マスターは、品物情報を登録対象スレーブのタグメモリに無線で書き込むステップをさらに含むことを特徴とする。
【発明の効果】
【００１２】
本発明は、外出モードではユーザが品物との間の所定の距離を逸脱すると、ユーザに警報を鳴らすため、ユーザ品物の紛失を予防することができ、探索モードでは自身の置いておいた品物を迅速に探すことができるようにする。
【図面の簡単な説明】
【００１３】
【図１】本発明の実施形態による品物の紛失防止及び迅速な探索のための装置の構成図である。
【図２Ａ】図１に示すマスターの回路ブロックの構成図である。
【図２Ｂ】図１に示すマスターの回路ブロックの構成図である。
【図３Ａ】図２Ａのマスターにおける認知距離及び認知幅を説明するための図である。
【図３Ｂ】図２Ｂのマスターにおける認知距離及び認知幅を説明するための図である。
【図４】本発明の実施形態による登録モードルーチンの制御フローチャートである。
【図５】本発明の実施形態による全体制御フローチャートである。
【図６】図５の外出モードルーチンの制御フローチャートである。
【図７】図５の探索モードルーチンの制御フローチャートである。
【発明を実施するための形態】
【００１４】
以下、本発明の好ましい実施形態を添付図面を参照して詳細に説明する。
【００１５】
図１は、本発明の実施形態による品物の紛失防止及び迅速な探索のための装置の構成図であって、ＲＦＩＤ（Ｒａｄｉｏ  Ｆｒｅｑｕｅｎｃｙ  ＩＤｅｎｔｉｆｉｃａｔｉｏｎ）方式を採択した構成である。
【００１６】
品物の紛失防止及び迅速な探索のための本発明の装置Ａは、ＲＦＩＤシステムのＲＦＩＤリーダーに該当するマスター（ｍａｓｔｅｒ）２と、ＲＦＩＤシステムのタグ（ｔａｇ）に該当する複数のスレーブ（ｓｌａｖｅ）４ａないし４ｅとを備える。
【００１７】
通常、ＲＦＩＤシステムは、トランスポンダー（ｔｒａｎｓｐｏｎｄｅｒ）とも称され、内部タグメモリに固有識別情報を有するタグと、質問機（ｉｎｔｅｒｒｏｇａｔｏｒ）とも称され、タグが有する識別情報を読み取ったり新しい情報を書き込むためのリーダー（ｒｅａｄｅｒ）と、リーダーを連結するコンピューターとを備える。
【００１８】
本発明でスレーブ４ａないし４ｅに該当するタグは、アンテナとＲＦＩＤ  ＩＣチップとからなり、品物、人間、動物などに付着するか、掛けるか、服に製織形成されるか、または携帯可能に多様な形や形状に製作されることができる。すなわち、図１に示すように、タグであるスレーブ４ａないし４ｅは、小銭タイプ、バンドタイプ、スティックタイプ、カードタイプ、アンテナを導電糸で製織した携帯電話ストラップタイプなどとして、多様に製作されることができる。参照符号“４ａ”で示す銭タイプのタグの一例としては、韓国特許登録第１０−２０１０−００７３６８６号明細書の“導電糸纎維タグアンテナのＲＦＩＤチップの取り付け方法”などが挙げられる。小銭タイプのタグであるスレーブ４ａの場合は、１Ｘ１、２Ｘ２インチなどのサイズを有することができ、ラベル付着タイプやプラスチックトークンタイプとして提供されることもできる。
【００１９】
スレーブ４ａないし４ｅを構成するタグにおいて、ＲＦＩＤＩＣチップ（マイクロチップ）は、タグアンテナの給電点に位置する。タグは、リーダーの信号から必要なすべてのエネルギーを受けるが、タグは、コードされた信号を電磁気後方散乱（ｅｌｅｔｒｏｍａｇｎｅｔｉｃ  ｂａｃｋｓｃａｔｔｅｒｉｎｇ）方式により、ＵＨＦ周波数においてタグアンテナを用いて、タグの情報をリーダーに再伝送する。すなわち、タグアンテナは、リーダーから受けたエネルギーの一部を再伝送する。タグの電源印加方式としては、ショットキー（ｓｃｈｏｔｔｋｙ）整流回路を用いてマイクロウエーブエネルギーをＤＣに変換する。受動型タグの場合、整流されたＤＣ電圧を使用して動作するのに対し、能動型タグは電源を有する。
【００２０】
本発明では、タグであるスレーブ４ａないし４ｅのＲＦＩＤ  ＩＣチップ（マイクロチップ）内のタグメモリは、固有識別情報と共に新しい情報が書き込み可能なメモリであって、反復的に使用するために新しい情報の書き込みと消去の両方が可能な書き換え可能な（ｒｅ−ｗｒｉｔａｂｌｅ）タイプが最も好ましい。すなわち、本発明のスレーブ４ａないし４ｅは、書き換え機能を有するＲＦＩＤタグが最も好ましい。書き換え可能なスレーブ４ａないし４ｅは、マイクロチップの内部タグメモリが書き込みと消去が可能なメモリである。
【００２１】
本発明のマスター２に該当するＲＦＩＤリーダーは、リーダー用アンテナを介して電磁場を伝送して、タグにパワーを供給しつつタグとデータを交換する。
【００２２】
本発明の実施形態によって、ＲＦＩＤリーダーであるマスター２は、ハンドヘルド（ｈａｎｄｈｅｌｄ）方式であって、特に、ユーザが簡便に携帯可能にほぼ名刺の半分のサイズにして小さく具現することができる。また、その厚さは５〜１０ｍｍにすることができる。
【００２３】
本発明のマスター２は、品物の紛失防止及び迅速な探索を容易にするために、タグであるスレーブ４ａないし４ｅを認知することができる認知距離及び認知幅を可変にすることができる構成を有する。タグであるスレーブを認知することができる認知距離の可変は、入力部及び出力部からなるユーザインターフェース部、すなわち、図３Ａ及び図４Ａの入力部１２、表示部１４、音声認識及び合成部２０、アラーム及び音声出力部１６などを介するユーザの要求や、マッピングされたプログラムによる自体制御によってＲＦＩＤリーダーであるマスター２の出力パワーを調節することにより達成されることができ、認知幅の可変は、マスター２に一つ以上のアンテナを設けて、マッピングされた自体プログラムによるアンテナ制御によって達成されることができる。
【００２４】
本発明では、有効認知距離が約６ｍを超えるＲＦＩＤシステムが多くないということを逆に利用して、品物の紛失防止及び迅速な探索の用途に適するように具現された。すなわち、ＲＦＩＤリーダーであるマスター２とタグであるスレーブ４ａないし４ｅとの間の認知交信を継続的に行わせる間に、相互間の距離が所定の認知距離を逸脱すると、マスター２によってアラームや緊急な音声案内を提供する。
【００２５】
特に、本発明では、ユーザの要請やモード（外出モードや探索モード）に従い、認知距離と認知幅を可変にすることによって、該当のモードに合わせて作動させる。前記‘外出モード’は、品物の紛失防止のために設定され得るモードであり、‘探索モード’は、品物を迅速に探索するために設定され得るモードであり、その動作については図６及び図７を参照して詳細に説明する。
【００２６】
図２Ａは、マスター２が一つのアンテナＡＮＴを取り付けて作動させた状態で、出力パワーを調節することで可変となる認知距離Ｌを示し、図２Ｂは、マスター２が複数のアンテナ、例えば、３個のアンテナＡＮＴ１、ＡＮＴ２、ＡＮＴ３を作動させ、また出力パワーを調節することで可変となる認知幅Ｗと認知距離Ｌを示す。
【００２７】
本発明の実施形態のように、品物の紛失防止及び迅速な探索の用途に適するように具現するために、ＲＦＩＤリーダーであるマスター２は、図３Ａ及び図３Ｂに示すように、ボタン、タッチスクリーンのような入力部１２、ＬＣＤのような表示部１４、音声認識及び合成部２０、及び、アラーム及び音声出力部１６のようなユーザインターフェースを備える。タッチスクリーンのような入力部１２と音声認識及び合成部２０の音声認識部はユーザインターフェース部の入力部に該当し、ＬＣＤのような表示部１４、音声認識及び合成部２０の音声合成部、アラーム及び音声出力部１６は、ユーザインターフェース部の出力部に該当する。
【００２８】
また、アンテナＡＮＴと連結された送信部２２及び受信部２４のうち、送信部２２の出力パワーを可変にするために、本発明では、制御部１０の制御下に送信部２２の出力パワーを調節する出力パワー調節部２６を備え、マスター２の全般的な制御のために制御部１０及びメモリ１８を備える。入力部１２で、ユーザの入力の便宜のために、主に多く使用されるホットキー（ｈｏｔ  ｋｅｙ）、例えば、電源キー、外出モード対応キーや探索モード対応キーなどは、ボタンやスィッチタイプとして具現することが好ましく、その他の多様な機能キーは、タッチスクリーンを用いた機能キーとして具現することが好ましい。
【００２９】
特に、図３Ｂは、複数個、例えば３個のアンテナＡＮＴ１、ＡＮＴ２、ＡＮＴ３が装着された構成を示す。３個のアンテナＡＮＴ１、ＡＮＴ２、ＡＮＴ３を装着するために、送信部２２及び受信部２４と複数のアンテナＡＮＴ１、ＡＮＴ２、ＡＮＴ３との間には、制御部１０の制御によって無線信号を選択的に分配及び合成する信号分配及び合成部２８がさらに備えられる。
【００３０】
本発明の実施形態のように、品物の紛失防止及び迅速な探索の用途に適するように構成した具体的な動作については図４ないし図７を参照して詳細に説明する。
【００３１】
図４は本発明の実施形態による登録モードルーチンの制御フローチャートであり、図５は本発明の実施形態による全体制御フローチャートであり、図６は図５の外出モードルーチンの制御フローチャートであり、図７は図５の探索モードルーチンの制御フローチャートである。
【００３２】
まず、ユーザの品物とマッチさせるタグであるスレーブ４ａないし４ｅのそれぞれを登録する手続きを、図４の制御フローチャートを参照して詳細に説明する。
【００３３】
ユーザが多様な種類のタグスレーブ４ａないし４ｅのうち、自身の所望するタグタイプのスレーブを一つずつ自身の手前に置き、マスター２の入力部１２に備えられたキーのうち登録キーを押せば、マスター２の制御部１０は、図４のステップ１００でそれを認識し、図７のステップ１０２に進んで、登録対象スレーブ４ｋ（ｋ＝ａ、ｂ、ｃ、・・・、ｅ）の固有識別情報をスキャンする。すなわち、マスター２の制御部１０は、送信部２２を介してスキャン要求を無線で送信すれば、タグである登録対象スレーブ４ｋ内のマイクロチップは、タグアンテナを介して受信されたスキャン要求によって、内部タグメモリにマッピングした固有識別情報を読み取ってマスター２に伝送する。
【００３４】
これにより、マスター２の制御部１０は、図４のステップ１０４でスキャンした登録対象スレーブ４ｋから固有識別情報が受信されるか否かを判断し、受信されれば、制御部１０は、図４のステップ１０６に進んで、表示部１４などにより品物情報を入力せよというメッセージを表示するとともに、タッチスクリーンのような入力部１２及び音声認識及び合成部２０の音声認識部を活性化して、ユーザの所望する品物情報を入力させる。例えば、ユーザは、入力情報‘かばん’を文字入力または音声入力することができる。
【００３５】
ユーザが品物情報を入力すれば、マスター２の制御部１０は、それを図４のステップ１０８の判断ステップで認識し、図４のステップ１１０に進んで、入力された品物情報を新しい情報としてタグである登録対象スレーブ４ｋに無線で書き込むように制御する。マスター２で登録対象スレーブ４ｋへの無線による情報書き込みの際の無線書き込み距離は、タグであるスレーブ４ｋの情報を無線で読み取り可能な認知距離とは異なり、１メートルを超えがたいため、スレーブ４ｋの近傍で書き込むことが好ましい。
【００３６】
その後、制御部１０は、タグである登録対象スレーブ４ｋで品物情報の書き込みを完了したことを知らせる確認受信があれば（図４のステップ１１２）、図４のステップ１１４に進んで、内部メモリ１８に該当のスレーブ４ｋを品物の紛失防止及び迅速な探索のためのタグとして登録するとともに、書き込み完了を知らせる案内を表示部１４を介する表示やアラーム及び音声出力部１６を介して提供する。
【００３７】
このような方式により、品物の紛失防止及び迅速な探索の必要な品物の数に該当するスレーブに所望する情報をそれぞれ書き込むことができる。例えば、ハンドバッグ、携帯電話、財布などに対応するスレーブに情報を書き込むが、ハンドバッグに入れるスティックタイプタグのようなスレーブ４ｃにはハンドバッグという情報を、携帯電話に掛ける携帯電話ストラップ用タグのようなスレーブ４ｅには携帯電話という情報を、財布に差し入れたカードタイプタグのようなスレーブ４ｄには財布という情報を書き込むことができる。
【００３８】
このようにして、登録対象スレーブ４ｋは登録スレーブ４ｋとなる。
【００３９】
次いで、ユーザが品物の紛失防止及び迅速な探索のための動作を図５に示す。ユーザが外出する場合などに適切に使用される外出モードがあり、ユーザが家などに帰ってきた後、自身が置いておいた品物を探すときに適切に使用される探索モードがある。
【００４０】
ユーザがマスター２の入力部１２を用いて外出モードに対応するキーを入力すれば、制御部１０は、図５のステップ２００でそれを認識し、ステップ２０２に進んで外出モードルーチンを行う。外出モードルーチンの具体的な制御動作については、図６を参照して詳細に説明する。
【００４１】
もし、ユーザがマスター２の入力部１２を用いて探索モードに対応するキーを入力すれば、制御部１０は、図５のステップ２０４でそれを認識し、ステップ２０６に進んで探索モードルーチンを行う。探索モードルーチンの具体的な制御動作については、図７を参照して詳細に説明する。
【００４２】
以下、図６を参照して外出モードルーチンについてより具体的に説明する。
【００４３】
外出モードに対応するキー入力に基づいて外出モードに進んだ後、ユーザは、入力部１２に備えられた認知距離設定キーと認知幅設定キーを用いて、自身が所望する認知距離と認知幅を設定することができ、ユーザが認知距離と認知幅を設定しなければ、あらかじめ設定されたデフォルト（ｄｅｆａｕｌｔ）状態の認知距離と認知幅の設定値により登録スレーブ４ｋに対する認知作動を行う。ユーザが設定する認知距離と認知幅の値は認知領域の範囲となる。
【００４４】
ユーザが認知距離設定キーを入力すれば、制御部１０は、図６のステップ３００でそれを認識し、図６のステップ３０２に進んで、ユーザインターフェースを介してユーザの所望する認知距離を設定し、メモリ１８に保存する。もし、図６のステップ３００の判断で認知距離設定キーが入力されなければ、制御部１０は、図６のステップ３０４に進み、デフォルト状態の認知距離がそのまま設定される。
【００４５】
また、ユーザが認知幅設定キーを入力すれば、制御部１０は、図６のステップ３０６でそれを認識し、図６のステップ３０８に進んで、ユーザインターフェースを介してユーザの所望する認知距離を設定し、メモリ１８に保存する。もし、図６のステップ３０６で認知幅設定キーが入力されなければ、デフォルト状態の認知幅が設定される。
【００４６】
認知幅設定の場合、図２Ａまたは図３Ａに示すように、マスター２が一つのアンテナＡＮＴのみを装着すれば、デフォルト状態の認知幅が設定され、別途の認知幅設定キーは提供されない。
【００４７】
ユーザが多少危険で且つ煩い公共場所に外出する場合、ユーザと品物との離隔距離が短くなければならないため、それに対応する認知領域を設定すればよく、ユーザが静かで且つ紛失の危険の少ないひっそりとした場所に外出する場合、ユーザと品物との距離が相対的に長くてもよい。もし、ユーザがマスター２をかばんに入れ、体積の非常に小さい登録スレーブ４ｋを携帯する場合には、マスター２が移動するユーザの登録スレーブ４ｋを良好に認識するように認知幅を広く設定することが好ましい。認知幅を広く設定すれば、図２Ｂ及び図３Ｂに示すように、多様なアンテナＡＮＴ１、ＡＮＴ２、ＡＮＴ３が同時に作動する。
【００４８】
前記のように、ユーザの所望する認知距離と認知幅となった認知領域が設定された後、ユーザが外出モード作動キーを入力すれば、図６のステップ３１２でそれを認識する。その後、図６のステップ３１４に進んで、設定された認知距離と認知幅となった認知領域範囲内にある登録スレーブ４ｋと交信を行う。登録スレーブ４ｋと交信しながら、マスター２は登録スレーブ４ｋの品物情報を認知する。通常、ＲＦＩＤリーダーであるマスター２は、秒当たり数十個以上のタグ、すなわち、スレーブを認識することができる。
【００４９】
もし、ユーザが登録スレーブ４ｋを有する品物を忘れて移動し、認知領域を離脱してしまえば、マスター２の制御部１０は、図６のステップ３１６でそれを認識し、図６のステップ３１８に進む。
【００５０】
図６のステップ３１８で、マスター２の制御部１０は、アラーム及び音声出力部１６を用いて離脱を知らせるアラームを鳴らすとともに、認知領域を離脱した品物情報を拡声して音声案内を行う。例えば、品物情報がかばんである場合、緊急な拡声音声により“かばん、かばん”という音声が送出されることができる。マスター２は、登録スレーブ４ｋから、かばんという品物情報を既に獲得したため品物の情報が分かり、音声の送出は、音声認識及び合成部２０の音声合成部を介して音声合成された後、音声の増幅が行われることによって行われることができる。
【００５１】
このような離脱を知らせるアラームの鳴らしや拡声音声の案内が行われれば、ユーザは自身が品物を忘れたことを数メートルも行かずに直ぐ認識することができ、戻ってきて探すことができるため、品物の紛失を予防することができる。
【００５２】
もし、ユーザが外出モードの作動をそれ以上必要としない場合には、外出モード中止キーを入力すれば、それを図６のステップ３２０で認識した後、ステップ３２２に進んで外出モード作動を中止する。
【００５３】
外出モードや後述する探索モードでない状態であれば、マスター２は、登録されたスレーブではない一般のスレーブの情報を読み取ることができる。
【００５４】
次いで、図７を参照して、探索モードルーチンについてより具体的に説明する。探索モードは、ユーザが家または事務室などに戻ってきた後、自身が置いておいた品物を探すときに適切に使用されるモードである。
【００５５】
マスター２の制御部１０は、探索モードに対応するキー入力に基づいて探索モードに進入した後、ユーザは、入力部１２に備えられた認知距離設定キーと認知幅設定キーを用いて、自身の所望する認知距離と認知幅を設定することができ、ユーザが認知距離と認知幅を設定しなければ、あらかじめ設定されたデフォルト状態の認知距離と認知幅設定値により登録スレーブに対する認知作動を行う。
【００５６】
より具体的に説明すれば、ユーザが認知距離設定キーを入力すれば、制御部１０は、図７のステップ４００でそれを認識し、図７のステップ４０２に進んで、ユーザインターフェースを介してユーザの所望する認知距離を設定してメモリ１８に保存する。もし、図７のステップ４００の判断で認知距離設定キーが入力されなければ、制御部１０は、図７のステップ４０４に進んで、デフォルト状態の認知距離がそのまま設定される。
【００５７】
また、ユーザが認知幅設定キーを入力すれば、制御部１０は、図７のステップ４０６でそれを認識し、図７のステップ４０８に進んで、ユーザインターフェースを介してユーザの所望する認知距離を設定してメモリ１８に保存する。もし、図７のステップ４０６で認知幅設定キーが入力されなければ、デフォルト状態の認知幅が設定される。
【００５８】
認知幅設定の場合、図２Ｂまたは図３Ｂに示すように、マスター２が一つのアンテナＡＮＴのみを装着した場合、デフォルト状態の認知幅が設定され、別途の認知幅設定キーが提供されない。
【００５９】
ユーザは、自身に適した認知領域範囲（通常、数メートル）を設定した後、朝の出勤時間のように、自身が置いておいた品物がどこにあるか探したい場合に探索モード作動キーを入力する。それにより、マスター２の制御部１０は、図７のステップ４１２でそれを認識し、図７のステップ４１４に進んで、設定された認知距離と認知幅となった認知領域範囲内にある登録スレーブ４ｋと交信を試みる。
【００６０】
その後、マスター２の制御部１０は、図７のステップ４１６で交信が行われる登録スレーブ４ｋがあるか否かを判断し、交信が行われる登録スレーブ４ｋがある場合、図７のステップ４１８に進んで、認知電界強度レベルによる探知音量を送出し、交信が行われた登録スレーブ４ｋの品物情報をユーザにアラーム及び音声出力部１６を介して音声として案内する。もし、図７のステップ４１６の判断で交信が行われる登録スレーブ４ｋがない場合、制御部１０は、図７のステップ４２０に進んで、設定された認知距離及び認知幅設定値を上向き調節する制御を行った後、図７のステップ４１６に戻って交信登録スレーブ４ｋがあるか否かを確認する。
【００６１】
ユーザが移動しながら、交信が行われた登録スレーブ４ｋがある場所に行くか、それとも交信が行われた登録スレーブ４ｋから遠ざかると認知電界強度レベルが変更するが、それを図７のステップ４２２で認識した後、図７のステップ４２４に進んで、変更した認知電界強度レベルによる探知音量を送出し、品物情報も同時に案内する。
【００６２】
ユーザが探そうとした品物から遠ざかると、認知電界強度レベルと対応探知音量は弱くなるのに対し、探そうとした品物に近づくと、認知電界強度レベルと対応探知音量は強くなる。したがって、ユーザは、探知音量が徐々に大きくなる地点へ移動して、自身の所望する品物を探すことができるようになる。
【００６３】
もし、ユーザが探索モードの作動をそれ以上必要といない場合には、入力部１２を介して探索モード中止キーを入力すれば、制御部１０は、図７のステップ４２６でそれを認識した後、ステップ４２８に進んで探索モード作動を中止する。
【００６４】
マスター２は、探索モードの状態または探索モードでない状態であれば、登録されたスレーブではない一般のスレーブの情報も読み取ることができる。
【００６５】
本発明においてスレーブとマッチングさせる品物を一例として挙げて説明したが、スレーブが多様な形態を有するため、人間以外の動物にも適用することができることを理解しなければならない。
【００６６】
前述の本発明の説明では具体的な実施形態について説明したが、多様な変形を本発明の範囲から逸脱することなく実施することができる。したがって、本発明の範囲は説明された実施形態よって定められるものではなく、特許請求の範囲及びその特許請求の範囲と均等なものによって定められねばならない。
【図１】
2013533559.tif 000003
【図２Ａ】
2013533559.tif 000004
【図２Ｂ】
2013533559.tif 000005
【図３Ａ】
2013533559.tif 000006
【図３Ｂ】
2013533559.tif 000007
【図４】
2013533559.tif 000008
【図５】
2013533559.tif 000009
【図６】
2013533559.tif 000010
【図７】
2013533559.tif 000011
【国際調査報告】
2013533559.tif 000012
2013533559.tif 000013
2013533559.tif 000014
2013533559.tif 000015